(57)【特許請求の範囲】
【請求項１】
枠部を有する本体と、
遊技盤と、
カバー体と、
第一の制御手段と、
前記第一の制御手段からの指令に応じた制御を少なくとも実行可能な第二の制御手段と、
前記第一の制御手段が設けられた第一の制御基板と、
前記第二の制御手段が設けられた第二の制御基板と、
前記第一の制御基板を収容する第一の基板ケースと、
前記第二の制御基板を収容する第二の基板ケースと、
前記第一の制御基板に設けられた第一のコネクタと、
前記第二の制御基板に設けられた第二のコネクタと、
を備えた遊技台であって、
前記遊技盤は、前側に遊技領域が設けられたものであり、
前記遊技盤は、裏側に前記第一の基板ケースが設けられたものであり、
前記遊技盤は、前記裏側に前記第二の基板ケースが設けられたものであり、
前記遊技盤は、前記枠部に取り付けられたものであり、
前記第一のコネクタは前記第一の基板ケースの一部から露出し、
前記第二のコネクタは前記第二の基板ケースの一部から露出し、
前記第一のコネクタと前記第二のコネクタとは接続手段により接続され、
前記カバー体は、取り付け部を有し、
前記カバー体は、取り付け部が第一の状態又は第二の状態で前記枠部に取り付けられ、
前記第一の状態は、前記取り付け部が、前記枠部と前記遊技盤の前記裏側との間に挟まれた状態であり、
前記第二の状態は、前記取り付け部が、前記枠部と該枠部の裏側に取り付けられた部材との間に挟まれた状態であり、
前記カバー体が前記枠部に取り付けられた状態（以下、「カバー体取付状態」という。）において、前記第一のコネクタが前記カバー体によって少なくともカバーされるように構成されており、
前記カバー体取付状態において、前記第二のコネクタが前記カバー体によって少なくともカバーされるように構成されている、
ことを特徴とする遊技台。
【請求項２】
請求項１に記載の遊技台であって、
前記第一の状態では、前記遊技盤を前記本体から取り外した状態でなければ、前記カバー体を前記枠部から取り外すことができない、
ことを特徴とする遊技台。
【請求項３】
請求項１に記載の遊技台であって、
前記第二の状態では、前記部材を前記枠部から取り外すことにより前記遊技盤を前記本体から取り外すことなく、前記カバー体を前記枠部から取り外すことができる、
ことを特徴とする遊技台。
【請求項４】
請求項１乃至３のいずれか一項に記載の遊技台であって、
第三の基板と、
前記第三の基板に設けられた第三のコネクタを有し、
前記第三のコネクタは、前記カバー体から露出するコネクタであり、
前記第三のコネクタは、前記カバー体とは別のカバー体によって覆われている、
ことを特徴とする遊技台。
【請求項５】
請求項１乃至請求項４のいずれか一項に記載の遊技台であって、
前記遊技台は、ぱちんこ機である、
ことを特徴とする遊技台。
【請求項６】
請求項１乃至請求項５のいずれか一項に記載の遊技台であって、
前記第一のコネクタは、信号線の一端に設けられたコネクタであり、
前記信号線は、前記遊技領域に設けられた始動入賞領域への遊技球の入賞を検出する始動入賞検出手段からの信号を受信可能な信号線である、
ことを特徴とする遊技台。
【請求項７】
請求項１乃至請求項６のいずれか一項に記載の遊技台であって、
前記カバー体は、透過性を有するものであり、
前記第一の基板ケースは、透過性を有するものであり、
前記第二の基板ケースは、透過性を有するものであり、
前記第一の制御基板は、前記カバー体取付状態において、前記カバー体を介して、前記裏側から視認可能に構成されており、
前記第二の制御基板は、前記カバー体取付状態において、前記カバー体を介して、前記裏側から視認可能に構成されている、
ことを特徴とする遊技台。
【発明の詳細な説明】
【技術分野】
【０００１】
本発明は、回胴遊技機（スロットマシン）や弾球遊技球（パチンコ機）などに代表される遊技台に関する。
【背景技術】
【０００２】
従来、パチンコ機に代表される遊技台は、発射装置から球を発射し、所定の遊技領域に設けられた所定の入賞口に球が入球することで所定の利益を獲得できるように構成されている。このような遊技台は、ＣＰＵやＲＯＭ、ＲＡＭ等からなる遊技制御基板を備え、この遊技制御基板によって遊技球の払い出し等を制御している。このため、制御プログラムや抽選データ等が記憶されたＲＯＭを交換する等、様々な不正行為が遊技制御基板に対して行われる場合があった。
【０００３】
このような不正行為の防止や、外力による故障等から保護するため、遊技盤の裏面（遊技機内部側）に基板収納ケースを保護するカバーが設けられた遊技機が提案されている（例えば、特許文献１参照）。
【先行技術文献】
【特許文献】
【０００４】
【特許文献１】特開２００８−２００３０２号公報
【発明の概要】
【発明が解決しようとする課題】
【０００５】
しかしながら、従来の構造では、基板収納ケースを覆うカバーが比較的容易に取り外しできる場合があった。遊技制御基板は基板収納ケースにより保護されるが、複数の遊技制御基板を接続するコネクタは基板収納ケースから露出しており、カバーが取り外された場合にはコネクタが露出する。このためこれらの接続が意図せずに解除され、例えば不正な方法で遊技球が獲得されるなど、コネクタに対する様々な不正行為が行われる問題があった。
【０００６】
本発明は、上記課題を解決するためになされたものであって、基板への不正を防止することができる遊技機を提供することを目的とする。
【課題を解決するための手段】
【０００７】
本発明に係る遊技台は、枠部を有する本体と、遊技盤と、カバー体と、第一の制御手段と、前記第一の制御手段からの指令に応じた制御を少なくとも実行可能な第二の制御手段と、前記第一の制御手段が設けられた第一の制御基板と、前記第二の制御手段が設けられた第二の制御基板と、前記第一の制御基板を収容する第一の基板ケースと、前記第二の制御基板を収容する第二の基板ケースと、前記第一の制御基板に設けられた第一のコネクタと、前記第二の制御基板に設けられた第二のコネクタと、を備えた遊技台であって、前記遊技盤は、前側に遊技領域が設けられたものであり、前記遊技盤は、裏側に前記第一の基板ケースが設けられたものであり、前記遊技盤は、前記裏側に前記第二の基板ケースが設けられたものであり、前記遊技盤は、前記枠部に取り付けられたものであり、前記第一のコネクタは前記第一の基板ケースの一部から露出し、前記第二のコネクタは前記第二の基板ケースの一部から露出し、前記第一のコネクタと前記第二のコネクタとは接続手段により接続され、前記カバー体は、取り付け部を有し、前記カバー体は、取り付け部が第一の状態又は第二の状態で前記枠部に取り付けられ、前記第一の状態は、前記取り付け部が、前記枠部と前記遊技盤の前記裏側との間に挟まれた状態であり、前記第二の状態は、前記取り付け部が、前記枠部と該枠部の裏側に取り付けられた部材との間に挟まれた状態であり、前記カバー体が前記枠部に取り付けられた状態（以下、「カバー体取付状態」という。）において、前記第一のコネクタが前記カバー体によって少なくともカバーされるように構成されており、前記カバー体取付状態において、前記第二のコネクタが前記カバー体によって少なくともカバーされるように構成されている、ことを特徴とする遊技台である。
【発明の効果】
【０００８】
本発明に係る遊技台によれば、基板への不正を防止することができる。
【図面の簡単な説明】
【０００９】
【図１】パチンコ機を前面側（遊技者側）から見た外観斜視図である。
【図２】第１の実施形態に係る同パチンコ機を背面側からみた外観図である。
【図３】同パチンコ機のカバー体を取り外した状態を背面側から見た外観図である。
【図４】遊技盤を正面から見た略示正面図である。
【図５】制御部の回路ブロック図を示したものである。
【図６】遊技盤を本体から取り出した状態を示す外観図である。
【図７】カバー体が取り付けられた状態を示すパチンコ機の背面側の正面図である。
【図８】遊技盤、カバー体および本体を分解して示す分解斜視図である。
【図９】カバー体と本体を分解して示す分解斜視図である。
【図１０】カバー体の開放が制限されている状態を示すパチンコ機の側部断面の略示図である。
【図１１】カバー体の開放が制限されていない状態を示すパチンコ機の側部断面の略示図である。
【図１２】カバー体の開放が制限されている状態を示す本体の分解斜視図である。
【図１３】カバー体が取り付けられた状態を示すパチンコ機の背面側の略示図である。
【図１４】主基板および副基板の構成を示すパチンコ機の背面側の外観図である。
【図１５】カバー体を取り外した状態の主基板ケースおよび副基板ケースを示す外観図である。
【図１６】第１副基板ケースの分解斜視図である。
【図１７】第１副基板を示す正面図である。
【図１８】第１副基板ケースの正面図である。
【図１９】遊技盤の背面側の正面図である。
【図２０】主基板、第１副基板および第２副基板と各コネクタの関係を示すブロック図である
【図２１】第１副基板および第２副基板と各コネクタの関係を示すブロック図である。
【図２２】カバー体、主基板ケースおよび副基板ケースの分解斜視図である。
【図２３】副基板ケースの上面図である。
【図２４】第２実施形態に係る、パチンコ機の外観斜視図である。
【図２５】パチンコ機の分解斜視図である。
【図２６】（Ａ）パチンコ機の側部断面図である。（Ｂ）パチンコ機の背面側の正面図である。（Ｃ）パチンコ機の背面側の外観斜視図である。
【図２７】第３実施形態に係る、カバー体が取り付けられた状態を示すパチンコ機の背面側の外観略示図である。
【図２８】第４実施形態に係る、カバー体が取り付けられた状態を示すパチンコ機の背面側の外観略示図である。
【図２９】第５実施形態に係る、カバー体が取り付けられた状態を示すパチンコ機の背面側の外観略示図である。
【図３０】第６実施形態に係る、カバー体が取り付けられた状態を示すパチンコ機の背面側の外観略示図である。
【発明を実施するための形態】
【００１０】
以下、図１から図３０を用いて、本発明の実施形態に係る遊技台（例えば、パチンコ機１００等の弾球遊技機やスロット機等の回胴遊技機）について詳細に説明する。まず、図１から図２３を用いて、本発明の実施形態１に係る遊技台について詳細に説明する。
【００１１】
＜＜第１実施形態＞＞
【００１２】
＜全体構成＞
【００１３】
まず、図１を用いて、本発明の第１実施形態に係るパチンコ機１００の全体構成について説明する。なお、同図はパチンコ機１００を正面側（遊技者側）から見た外観斜視図である。
【００１４】
パチンコ機１００は、外部的構造として、外枠１０２Ｆと、本体１０４と、前面枠扉１０６と、球貯留皿付扉１０８と、発射装置１１０と、遊技盤２００と、をその前面に備える。
【００１５】
外枠１０２Ｆは、遊技機設置営業店に設けられた設置場所（島設備等）へと固定させるための縦長方形状から成る木製の枠部材である。外枠部１０２は本体１０４に取り付けられ、他の部品（例えば、球タンク１５０など）を取り付けまたは支持する部材となる。ここでは外枠部１０２は本体１０４と別体の部品として示すが、外枠部１０２は本体１０４と一体型に設けられた部品であってもよい。
【００１６】
本体１０４は、外枠部１０２の前面側に備えられ、縦長方形状の遊技機基軸体となる部材である。また、本体１０４は、枠状に形成され、内側に空間部１１４を有している。
【００１７】
前面枠扉１０６は、ロック機能付きで且つ本体に対して開閉自在となるように、パチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の背面と遊技盤２００の前面とで遊技領域１２４を区画形成する。なお、本明細書においては、パチンコ機１００（本体１０４、外枠部１０２、遊技盤２００）の遊技者側に臨む面を前面と称し、内部側に臨む面を背面と称する。
【００１８】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１９】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００２０】
遊技盤２００は、前面に遊技領域１２４を有し、前面が遊技者に面し、背面が本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００２１】
図２および図３は、図１のパチンコ機１００を背面側から見た外観図である。本実施形態のパチンコ機１００は、遊技盤２００の背面側にカバー体９００が設けられている。図２はカバー体９００を取り付けた状態を示し、図３はカバー体９００を取り外した状態を示す。
【００２２】
パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２３】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２４】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００２５】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源管理部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインタフェース部１８６を配設している。ＣＲインタフェース部１８６は、例えばＤ−ｓｕｂ（Ｄ−ｓｕｂｍｉｎｉａｔｕｒｅ）コネクタで構成されたＣＲユニット接続部を有し、これを介して払出制御部６００とカードユニットとの信号の送受信を行うようになっている。
【００２６】
カバー部９００は、主基板ケース１５８、第１副基板ケース１６２および第２副基板ケース１６６のそれぞれの少なくとも一部を覆って、遊技盤２００の背面側に設けられる（図２参照）。
【００２７】
第１副基板１６０を収納する第１副基板ケース１６２の図中左上には、例えばスピーカ１２０の音量を調整する音量調整スイッチ１９２を設けている。音量調整スイッチ１９２は、例えばロータリースイッチで構成される。
【００２８】
パチンコ機１００は、その背面側から見て、球タンク１５０の右側であってタンクレール１５４の上方に中継基板１９６を有している。中継基板１９６はパチンコ機１００とホールコンピュータとの電気的接続に用いられる。遊技盤２００の交換を行う場合にパチンコ機１００とホールコンピュータとの配線を変更する必要がないため、遊技盤２００は、中継基板１９６を介して本体１０４とホールコンピュータとを接続したままで交換される。但し、機種によってはパチンコ機１００からホールコンピュータに送信する信号の種類を変更する必要があるため、パチンコ機１００は、遊技盤２００の取り外し時に、パチンコ機１００の正面（手前）側から中継基板１９６の接続状況が把握できるように構成されていてもよい。
【００２９】
同様に、外部と接続の必要がある他の構成（例えば不図示の電源コード）についても、本体１０４に備えておくことが好ましい。
【００３０】
パチンコ機１００は、その背面側から見て、中継基板１９６の右側に電源コネクタ１９１を有している。電源コネクタ１９１には、不図示の電源コードが接続されるようになっている。
【００３１】
パチンコ機１００の機種を変更する際には、遊技盤２００を交換するが、このとき主基板１５６、第１副基板１６０および第２副基板１６４も交換することになる場合があるので、主基板１５６、第１副基板１６０および第２副基板１６４は遊技盤２００に設ける場合がある。
【００３２】
また、パチンコ機１００の機種を変更する場合であっても、本体１０４は交換せずそのまま使用することができる場合があり、このとき払出基板１７０、発射基板１７４および電源基板１８２も交換の必要がない場合があるので、払出基板１７０、発射基板１７４および電源基板１８２は本体１０４に設ける場合がある。
【００３３】
図４は、遊技盤２００を正面から見た略示正面図である。遊技盤２００には、外レール２０２と内レール２０４とを配設し、遊技球が転動可能な遊技領域１２４を区画形成している。
【００３４】
遊技領域１２４の略中央には、演出装置２０６を配設している。この演出装置２０６には、略中央に装飾図柄表示装置２０８を配設し、下方に普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。
【００３５】
演出装置２０６は、演出可動体２２４を動作して演出を行うものであり、詳細については後述する。
【００３６】
装飾図柄表示装置２０８は、装飾図柄ならびに演出に用いる様々な表示を行うための表示装置であり、本実施形態では液晶表示装置（Ｌｉｑｕｉｄ  Ｃｒｙｓｔａｌ  Ｄｉｓｐｌａｙ）によって構成する。なお、装飾図柄表示装置２０８は、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００３７】
また、装飾図柄表示装置２０８は、左図柄表示領域２０８ａ、中図柄表示領域２０８ｂ、右図柄表示領域２０８ｃ、演出表示領域２０８ｄ、特図１第４図柄表示領域２０８ｅ、および特図２第４図柄表示領域２０８ｆを有して構成されている。左図柄表示領域２０８ａ、中図柄表示領域２０８ｂ、および右図柄表示領域２０８ｃはそれぞれ異なった装飾図柄を表示し、演出表示領域２０８ｄは演出に用いる画像を表示する。また、特図１第４図柄表示領域２０８ｅは（後述する）特図１変動遊技の当否結果を表示し、特図２第４図柄表示領域２０８ｆは（後述する）特図２変動遊技の当否結果を表示する領域であり、例えば、特図変動遊技中（特図の変動中）は「−」を点滅表示させ、特図変動遊技の当否結果が当選の場合には「○」を表示させ、特図変動遊技の当否結果がはずれの場合には「×」を表示させる。なお、各表示領域２０８ａ〜２０８ｆの位置や大きさは、装飾図柄表示装置２０８の表示画面内で自由に変更することを可能としている。
【００３８】
普図表示装置２１０は、普図の表示を行うための表示装置であり、本実施形態では７セグメントＬＥＤによって構成する。第１特図表示装置２１２および第２特図表示装置２１４は、特図の表示を行うための表示装置であり、本実施形態では７セグメントＬＥＤによって構成する。
【００３９】
普図保留ランプ２１６は、保留している普図変動遊技の数を示すためのランプであり、本実施形態では、普図変動遊技を所定数（例えば、２つ）まで保留することを可能としている。第１特図保留ランプ２１８および第２特図保留ランプ２２０は、保留している特図変動遊技の数を示すためのランプであり、本実施形態では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００４０】
また、この演出装置２０６の下方には、一般入賞口２２６と、普図始動口２２８と、第１特図始動口２３０と、第２特図始動口２３２と、第１可変入賞口２３４と、第２可変入賞口２３５を配設している。
【００４１】
一般入賞口２２６は、本実施形態では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施形態では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００４２】
普図始動口２２８は、ゲートやスルーチャッカーと呼ばれる、遊技領域１２４の所定の領域を球が通過したか否かを判定するための装置で構成しており、本実施形態では遊技盤２００の右側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００４３】
第１特図始動口２３０は、本実施形態では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置による特図変動遊技を開始する。なお、第１特図始動口２３０に入球した球は、パチンコ機１００の裏側に誘導した後、遊技島側に排出する。
【００４４】
第２特図始動口２３２は、電動チューリップ（電チュー）と呼ばれ、本実施形態では普図始動口２２８の下方に１つだけ配設している。この第２特図始動口２３２は、左右に開閉自在な羽根を備え、羽根の閉鎖中は球の入球が不可能であり、普図変動遊技に当選し、普図表示装置２１０が当たり図柄を停止表示した場合に羽根が所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置による特図変動遊技を開始する。なお、第２特図始動口２３２に入球した球は、パチンコ機１００の裏側に誘導した後、遊技島側に排出する。
【００４５】
第１可変入賞口２３４と第２可変入賞口２３５は、大入賞口またはアタッカーと呼ばれ、本実施形態では遊技盤２００の中央部下方と右下にそれぞれ配設している。これらの第１可変入賞口２３４と第２可変入賞口２３５は同一構造からなり、開閉自在な扉部材２３４ａ、２３５ａを備え、扉部材２３４ａ、２３５ａの閉鎖中は球の入球が不可能であり、特図変動遊技に当選して特図表示装置が大当たり図柄を停止表示した場合に扉部材２３４ａ、２３５ａが所定の時間間隔（例えば、開放時間２９秒、閉鎖時間１．５秒）、所定の回数（例えば１５回）で開閉する。なお、本実施形態では、特図１変動遊技に当選した場合には、第１可変入賞口２３４の扉部材２３４ａを所定の時間間隔、所定の回数で開閉し、特図２変動遊技に当選した場合には、第２可変入賞口２３５の扉部材２３５ａを所定の時間間隔、所定の回数で開閉する。また、第１可変入賞口２３４または第２可変入賞口２３５への入球を所定の球検出センサが検出した場合、払出装置１５２を駆動し、所定の個数（例えば、１５個）の球を賞球として上皿１２６に排出する。なお第１可変入賞口２３４と第２可変入賞口２３５に入球した球は、パチンコ機１００の裏側に誘導した後、遊技島側に排出する。
【００４６】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８（図１参照）によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、第１可変入賞口２３４、第２可変入賞口２３５）や始動口（第１特図始動口２３０、第２特図始動口２３２）に入賞するか、いずれの入賞口や始動口にも入賞することなく、または普図始動口２２８を通過するのみでアウト口２４０に到達する。
【００４７】
＜演出装置２０６＞
【００４８】
次に、パチンコ機１００の演出装置２０６について説明する。
【００４９】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００５０】
ワープ装置２４２は、演出装置２０６の左方に設けたワープ入口２４２ａに入った遊技球を演出装置２０６の前面下方のステージ２４４にワープ出口２４２ｂから排出する。
【００５１】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００５２】
演出可動体２２４は、不図示のモータを備え、モータによって例えば上下に動作する。
【００５３】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００５４】
＜制御部＞
【００５５】
次に、図５を用いて、このパチンコ機１００の制御部の回路構成について詳細に説明する。なお、同図は制御部の回路ブロック図を示したものである。
【００５６】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。
【００５７】
＜主制御部＞
【００５８】
まず、パチンコ機１００の主制御部３００について説明する。主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００５９】
また、基本回路３０２には、水晶発振器３１６ａが出力するクロック信号を受信する度に０〜６５５３５の範囲で数値を変動させるハードウェア乱数カウンタとして使用しているカウンタ回路３１８（この回路には２つのカウンタを内蔵しているものとする）と、各始動口、入賞口の入り口および可変入賞口の内部に設けた球検出センサを含む各種センサ３２０が出力する信号を受信し、増幅結果や基準電圧との比較結果をカウンタ回路３１８および基本回路３０２に出力するためのセンサ回路３２２と、第１特図表示装置２１２や第２特図表示装置２１４の表示制御を行うための駆動回路３２４と、普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、所定の可動部材、例えば第２特図始動口２３２の羽根部材２３２ａ、第１可変入賞口２３４の扉部材２３４ａ、第２可変入賞口２３５の扉部材２３５ａ等を開閉駆動する各種ソレノイド３３２を制御するための駆動回路３３４を接続している。
【００６０】
なお、第１特図始動口２３０に球が入賞したことを球検出センサ３２０が検出した場合には、センサ回路３２０は球を検出したことを示す信号をカウンタ回路３１８に出力する。この信号を受信したカウンタ回路３１８は、第１特図始動口２３０に対応するカウンタのそのタイミングにおける値をラッチし、ラッチした値を、第１特図始動口２３０に対応する内蔵のカウンタ値記憶用レジスタに記憶する。また、カウンタ回路３１８は、第２特図始動口２３２に球が入賞したことを示す信号を受信した場合も同様に、第２特図始動口２３２に対応するカウンタのそのタイミングにおける値をラッチし、ラッチした値を、第２特図始動口２３２に対応する内蔵のカウンタ値記憶用レジスタに記憶する。
【００６１】
さらに、基本回路３０２には、情報出力回路３３６を接続しており、主制御部３００は、この情報出力回路３３６を介して、外部のホールコンピュータ（図示省略）や試験装置１５０２（図２０参照）等が備える情報入力回路３５０にパチンコ機１００の遊技情報（例えば、遊技状態）を出力する。
【００６２】
また、主制御部３００には、電源管理部６６０から主制御部３００に供給している電源の電圧値を監視する電圧監視回路３３８を設けており、この電圧監視回路３３８は、電源の電圧値が所定の値（本実施形態では９ｖ）未満である場合に電圧が低下したことを示す低電圧信号を基本回路３０２に出力する。
【００６３】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する。
【００６４】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００６５】
＜副制御部＞
【００６６】
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。なお、ＲＯＭ４０６は、制御プログラムと各種演出データとを別々のＲＯＭに記憶させてもよい。
【００６７】
また、基本回路４０２には、スピーカ１２０（およびアンプ）の制御を行うための音源ＩＣ４１６と、各種ランプ４１８の制御を行うための駆動回路４２０と、演出可動体２２４の駆動制御を行うための駆動回路４２２と、演出可動体２２４の現在位置を検出する演出可動体センサ４２４と、チャンスボタン１３６の押下を検出するチャンスボタン検出センサ４２６と、演出可動体センサ４２４やチャンスボタン検出センサ４２６からの検出信号を基本回路４０２に出力するセンサ回路４２８と、装飾図柄表示装置（液晶表示装置）２０８および遮蔽装置２４６の制御を行うための第２副制御部５００と、を接続している。
【００６８】
＜払出制御部、発射制御部、電源管理部＞
【００６９】
次に、パチンコ機１００の払出制御部６００、発射制御部６３０、電源管理部６６０について説明する。
【００７０】
払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００７１】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００７２】
電源管理部６６０は、パチンコ機１００に外部から供給される交流電源を直流化し、所定の電圧に変換して主制御部３００、第１副制御部４００等の各制御部や払出装置１５２等の各装置に供給する。さらに、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００７３】
図６は、パチンコ機１００の本体１０４から遊技盤２００を取り出した状態を示す外観図であり、本体１０４は前面側の斜視図であり、遊技盤２００は背面側を示している。本実施形態のパチンコ機１００は、本体１０４に対して外枠部１０２が一体的に取り付けられ、本体１０４に対して前面枠扉１０６がヒンジ部１１２を介して開閉自在に取り付けられる。遊技盤２００は、（前面枠扉１０６を開いた後）本体１０４および外枠部１０２の前面側から着脱が可能となっている。
【００７４】
既述の如く本実施形態のパチンコ機１００は、遊技盤２００の背面にカバー体９００を有している。カバー体９００は、遊技盤２００が本体１０４および外枠部１０２に取り付けられている場合にその開放が制限され、図６の如く遊技盤２００を本体１０４および外枠部１０２から取り外した場合に（取り外した後に）所定方向に開放可能となる。
【００７５】
図７から図１２を参照してさらに詳細に説明する。図７は、外枠部１０２および遊技盤（不図示）の背面側の正面図であり、外枠部１０２からカバー体９００の押さえ部９０２を透視させて示している。
【００７６】
遊技盤の背面側に取り付けられるカバー体９００は、その周辺端部に押さえ部９０２（９０２Ａ、９０２Ｂ）を有している。カバー体９００のカバー部９０１は遊技盤２００の背面側の所定の領域が収納、被覆可能な箱状体であり、押さえ部９０２は例えば、カバー部９０１の周辺端部から鍔状に突出させた部分である。押さえ部９０２はここでは一例として、背面側の正面視においてカバー体９００の右側端部と上側端部に、所定の面積を有する平面形状（矩形状または略三角形状等）と認識可能な切片状に設けられる。そして、カバー部９０１の右辺および上辺において押さえ部９０２Ａ、９０２Ｂが外枠部１０２の一部と重畳している。
【００７７】
図８は、パチンコ機１００を分解して示す背面側からの分解斜視図である。なお、図８において遊技盤２００にはその前面に前面枠扉１０６を配置した状態で示している。また図９は、カバー体９００と、外枠部１０２（本体１０４に取り付けられた状態）の背面側から見た分解斜視図である。
【００７８】
カバー体９００は、ここでは遊技盤２００の背面側に設けられた主基板ケース１５８の一部と、第１副基板ケース１６２および第２副基板ケース１６６を覆う。
【００７９】
外枠部１０２の背面側の開口部（例えば上辺部分）は、本体１０４の前面側の開口部より内側（内周側）に位置する。つまり本体１０４の前面側の開口部が外枠部１０２の背面側の開口部より大きく、カバー体９００が取り付けられた遊技盤２００は、本体１０４（外枠部１０２）の前面側から取り付けられる。外枠部１０２の背面側には球タンク１５０や払い出し装置１５２が取り付けられる。
【００８０】
この構成により、カバー体９００は遊技盤２００と外枠部１０２に挟まれ、カバー体９００の右側端部の押さえ部９０２Ａが外枠部１０２右辺の前面側内壁に接する状態となる。
【００８１】
同時に図９の如く、カバー体９００の上側端部の押さえ部９０２Ｂが外枠部１０２上辺の前面側内壁に接する状態となる。
【００８２】
図１０は、遊技盤２００、カバー体９００の押さえ部９０２（９０２Ｂ）および外枠部１０２との位置関係を示す側断面の略示図である。また図１１は、本実施形態の比較例を示す図であり、カバー体９００が本体１０４と部品の間に配置されない状態を示す側断面の略示図である。
【００８３】
図１０を参照して、例えば押さえ部９０２（９０２Ｂ）は、遊技盤２００と外枠部（所定の部品）１０２の間に配置される。このためこの状態でカバー体９００を矢印の方向（背面側）に移動（開放）する場合、押さえ部９０２Ｂの背面側の主面が外枠部１０２の前面側の主面と面接触する。つまり、遊技盤２００が本体１０４に取り付けられている場合には、カバー体９００はその矢印方向の移動（開放）が規制される。
【００８４】
これに対し図１１の構成の場合には、カバー部９００を矢印方向（背面側方向）に移動する場合でもこれを規制する部品（例えば押さえ部９０２Ｂに接触する外枠部１０２）が存在しないため、カバー体９００の開放が可能となる。
【００８５】
図１２は、外枠部１０２から、球タンク１５０、タンクレール１５４および払出装置１５２を取り外した状態を示す背面側の外観斜視図である。
【００８６】
本実施形態のカバー体９００は、例えば丸印の箇所で、その押さえ部（ここでは不図示）が外枠部１０２で押させられた状態となっており、図示の如く外枠部１０２の背面側に取り付けられている球タンク１５０等を取り外した状態であっても、カバー体９００を開放することはできず、図６の如く、遊技盤２００と外枠部１０２を離脱した後に（すなわち遊技盤２００を本体１０４から取り出した後に）、カバー体９００を開放することができる。
【００８７】
これにより、前面枠扉１０６を含む本体１０４の開放によって行われる可能性のある、主基板１５６、第１副基板１６０または第２副基板１６４等の制御基板のコネクタや接続基板のコネクタに対する不正や、外力による故障や接続不良を防止することができる場合がある。
【００８８】
なお、図９の略示図では、押さえ部９０２Ｂが遊技盤２００および外枠部１０２と当接している例を示したが、これに限るものではない。本実施形態は押さえ部９０２が遊技盤２００と本体１０４に設けられた部品（外枠部１０２）の間に挟まれるように配置され、本体１０４の部品から遊技盤２００とを離脱させない限り、部品によって移動が規制されてカバー体９００が開放不可となる構成であればよい。したがって例えば外枠部１０２と押さえ部９０２は離間して配置されていてもよいし、外枠部１０２、押さえ部９０２および遊技盤２００の間に他の部品（例えば、第１副基板ケース１６２または第２副基板ケース１６６の一部等）が配置されてもよい。また押さえ部９０２は切片状に限らず、かぎ状やピン状に突出して外枠部１０２に係止する構成であってもよい。
【００８９】
さらに押さえ部９０２は、遊技盤２００と外枠部１０２に挟まれる位置であれば上記の例に限らず、カバー部９０１の少なくとも１つの端部に設けられれば良い。しかし右側端部、上側端部あるいは左側端部のようにカバー体９００の正面視において長い辺を構成する端部に、可能な限りその長い辺と同等の長さの切片形状に設けると、押さえ部９００と外枠部１０２の接触面積が大きくなり、カバー体９００の開放を制限する効果が大きく好適である。
【００９０】
図１３は、カバー体９００が覆う領域の概略を示すパチンコ機１００の背面側の略示正面図である。本実施形態のカバー体９００は、主基板１５６に設けられ、主基板ケース１５８から露出する第１コネクタ１１００と、第１副基板１６０または第２副基板１６４に設けられ、第１副基板ケース１６２または第２副基板ケース１６６から露出する第２コネクタ１２００とを、少なくとも覆う。
【００９１】
図１４から図１９を参照して具体的に説明する。図１４は、主基板１５６、第１副基板１６０および第２副基板１６４を露出させた状態の外観正面図であり、図１５は、主基板１５６、第１副基板１６０、第２副基板１６４をそれぞれ収納する主基板ケース１５８、第１副基板ケース１６２および第２副基板ケース１６６を露出させた状態の正面外観図である。
【００９２】
図１４および図１５を参照して、主基板ケース１５８には主基板１５６が収納される。主基板１５６には、コネクタ１１０２、１１０４、１１０６、１１０８、１１１０が設けられている。主基板１５６は主基板ケース１５８に収納され、コネクタ１１０２、１１０４、１１０６、１１０８、１１１０は主基板ケース１５８に設けられた開口部１４０８から露出する。
【００９３】
第１副基板ケース１６２には、複数の制御基板（第１副基板１６０、演出制御基板１５０８、モータ制御基板１５１０）が収納され、これらにはコネクタ１２０２、１２０４、１２０６、１２０８、コネクタ１２１０、１２１２、１２１４、１２２０、１２１６、１２１８が設けられている。これらのうち、一部のコネクタ１２０２、１２０４、１２０８、１２２０、１２１４、１２１８は第１副基板ケース１６２に設けられた開口部１４１０Ａから露出する。第１副基板ケース１６２の構成は後に詳述する。
【００９４】
第２副基板ケース１６６には第２副基板１６４、液晶接続基板１５１２、液晶ＲＯＭなどが収納され、コネクタ１２２２、１２２４、１２２６が設けられている。コネクタ１２２２、１２２６は第２副基板ケース１６６に設けられた開口部１４１２Ａから露出する。各コネクタの接続関係については後述する。
【００９５】
＜第１副基板ケース＞
【００９６】
図１６から図１８を参照して、第１副基板ケース１６２について説明する。図１６は、第１副基板ケース１６２と第１副基板ケース１６２を分解して示す分解斜視図であり、図１７は第１副基板ケース１６２に収納される複数の制御基板（第１副基板１６０、演出制御基板１５０８およびモータ制御基板１５１０）を示す正面図であり、図１８は、第１副基板ケース１６２の正面図である。
【００９７】
図１６を参照して、第１副基板ケース１６２は、底面がＬ字形の角皿状である基板収納体１４０２および蓋体１４０４を組み合わせて構成される箱体となっている。この第１副基板ケース１６２の内部の空間には、それぞれ矩形状の第１副基板１６０、演出制御基板１５０８およびモータ制御基板１５１０が収納される。本実施形態では、基板収納体１４０２と蓋体１４０４は、それぞれ透光性の樹脂から構成されており、副基板ケース１６２外部から副基板ケース１６２内部に収納された第１副基板１６２、演出制御基板１５０８およびモータ制御基板１５１０を視認することが可能となっている。
【００９８】
基板収納体１４０２および蓋体１４０４の外縁部付近には、ケース用かしめピン１４０６を挿入して両者を分離できないように封印（かしめ）するためのケース用かしめ部１４０６Ａが、それぞれ例えば１２箇所に設けられている。また第１副基板１６２、演出制御基板１５０８およびモータ制御基板１５１０の各角部にも、基板用かしめ部１４０６Ｂが設けられている。
【００９９】
これらのケース用かしめ部１４０６Ａ、基板用かしめ部１４０６Ｂは、基板収納体１４０２および蓋体１４０４を組み合わせた場合に、基板収納体１４０２のケース用かしめ部１４０６Ａの挿入孔、蓋体１４０４のケース用かしめ部１４０６Ａの挿入孔と、基板用かしめ部１４０６Ｂの挿入孔が同軸的に配置され、ケース用かしめ部１４０６Ａと基板用かしめ部１４０６Ｂの各々の挿入孔が連通するように構成されている。そして、この連通した各々の挿入孔に挿入されたケース用かしめピン１４０６が、ケース用かしめ部１４０６Ａのそれぞれに取り外し不可能に係止するようになっている。すなわち、ケース用かしめピン１４０６を挿入することにより、ケース用かしめ部１４０６Ａ、基板用かしめ部１４０６Ｂが互いに分離不可能に結合され、副基板ケース１６２が封印される。
【０１００】
図１７を参照して、第１副基板１６２は主基板１５６の指令により制御を行い、演出制御基板１５０８およびモータ制御基板１５１０は、第１副基板１６２の指令により制御を行う。正面視において第１副基板１６０、演出制御基板１５０８およびモータ制御基板１５１０はそれぞれ矩形状であり、一例として、第１副基板１６２は長辺が上下方向に延在するようにＬ字形の基板収納体１４０２の左端に配置され、モータ制御基板１５１０は長辺が左右方向に延在するように基板収納体１４０２の右端に配置され、両基板の間に、演出制御基板１５０８が配置される。演出制御基板１５０８は上下方向に延在し対向する２辺がそれぞれ、第１副基板１６２の一の長辺、およびモータ制御基板１５１０の一の短辺とそれぞれ隣接する。
【０１０１】
第１副基板１６０は、コネクタ１２０２、１２０４、１２０６、１２０８を有し、演出制御基板１５０８は、コネクタ１２１０、１２１２、１２１４，１２２０を有し、モータ制御基板１５１０はコネクタ１２１６、１２１８を有する。第１副基板１６０のコネクタ１２０６と演出制御基板１５０８のコネクタ１２１０は両基板の境界を挟んで隣接して配置され、演出制御基板１５０８のコネクタ１２１２とモータ制御基板１５１０のコネクタ１２１６は両基板の境界を挟んで隣接して配置される。
【０１０２】
図１８を参照して、第１副基板ケース１６２の蓋体１４０４は第１副基板１６０、演出制御基板１５０８およびモータ制御基板１５１０を一体的に覆い、その主面に複数の放熱孔１９０と開口部１４１０（１４１０Ａ、１４１０Ｂ）が設けられる。開口部１４１０Ａからは、第１副基板１６０のコネクタ１２０２、１２０４、１２０８、演出制御基板１５０８のコネクタ１２１４、１２２０、およびモータ制御基板１５１０のコネクタ１２１８がそれぞれ露出する。一方、第１副基板１６０のコネクタ１２０６、演出制御基板１５０８のコネクタ１２１０、１２１２およびモータ制御基板１５１０のコネクタ１２１６は蓋体１４０４で覆われており第１副基板ケース１６２から露出しない。また、蓋体１４０４の左上角部の開口部１４１０Ｂからは、音量調整スイッチ１９２が露出する。
【０１０３】
詳細な図示は省略するが、主基板ケース１５８および第２副基板ケース１６６も、第１副基板ケース１６２と同様にそれぞれ基板収納体と蓋体を有する。すなわち、再び図１４および図１５を参照して、主基板ケース１５８は、基板収納体に主基板１５６が収納され、基板収納体と、主基板１５６および複数の開口部１４０８を有する蓋体とが分離不可能に結合されて封印され、開口部１４０８からコネクタ１１０２、１１０４、１１０６、１１０８、１１１０が露出する。また第２副基板ケース１６６は、基板収納体に第２副基板１６４および液晶接続基板１５１２が収納され、基板収納体と、第２副基板１６４および液晶接続基板１５１２、および開口部１４１２Ａ、１４１２Ｂを有する蓋体とが分離不可能に結合されて封印され、開口部１４１２Ａからコネクタ１２２２、１２２６が露出する。なお、開口部１４１２Ｂはここでは図示しておらず、後述する。
【０１０４】
尚、第１副基板ケース１６２に収納される演出制御基板１５０８とモータ制御基板１５１０は、第１副基板１６０と一体的に設けたものであってもよい。また第２副基板ケース１６６に収納される液晶接続基板１５１２は、第２副基板１６４と一体的に設けたものであってもよい。
【０１０５】
図１９は、遊技盤２００の背面側の外観を示す正面図であり、カバー体９００が設けられる領域ではその下方を透過して示している。
【０１０６】
カバー体９００は、主基板ケース１５８の開口部１４０８から露出する第１コネクタ１１００（ここではコネクタ１１０２、１１０４、１１０６、１１０８）と、第１副基板ケース１６２の開口部１４１０Ａから露出する第２コネクタ１２００（ここでは第１副基板１６０のコネクタ１２０２、１２０４、１２０８、演出制御基板１５０８のコネクタ１２１４、１２２０、モータ制御基板１５１０のコネクタ１２１８）と、第２副基板ケース１６６の開口部１４１２Ａから露出する第２コネクタ１２００（ここではコネクタ１２２２、１２２６）を覆う。これにより、第１コネクタ１１００または第２コネクタ１２００の接続解除を可能にするには、カバー体９００を開放する必要があるため、第１コネクタ１１００または第２コネクタ１２００の意図しない接続解除等を防ぐことができる。つまり、主基板１５６に接続する第１コネクタ１１００、第２副基板１６０および第２副基板１６４等に接続する第２コネクタ１２００に対する不正や外力による故障等を防止できる。また、第１副基板１６０と第２副基板１６４を接続するコネクタ（例えば、コネクタ１２０８およびコネクタ１２２２、図１４参照）もカバー体９００で覆われる。これにより誤動作していることが判別しにくい第１副制御部４００および第２副制御部５００を構成する基板（第１副基板１６０および第２副基板１６４）の意図しない接続解除も防止できる。
【０１０７】
カバー体９００は、その主面に放熱性を向上させるための孔（放熱孔）９０４が複数設けられている。本明細書において、カバー体９００の放熱孔９０４から第１コネクタ１１００または第２コネクタ１２００の一部が露出する場合であっても、これらの接続が解除不可な程度に露出している場合（放熱孔９０４程度の露出）であれば、カバー体９００によって覆われている、とする。
【０１０８】
また主基板ケース１５８、第１副基板ケース１６２および第２副基板ケース１６６にも放熱孔１９０が設けられている。ここでは、カバー体９００の放熱孔９０４は、各基板ケース（主基板ケース１５８、第１副基板ケース１６２、第２副基板ケース１６６）の放熱孔１９０よりも大きいが、これらは同程度の大きさでもよい。また、カバー体９００の放熱孔９０４と各基板ケースの放熱孔１９０は重畳している箇所と非重畳の箇所が存在するが、これらが重なるように配置してもよい。
【０１０９】
主基板１５６、第１副基板１６２（および演出制御基板１５０８、モータ制御基板１５１０）および第２副基板１６４（および液晶接続基板１５１２）に設けられるコネクタは、全てがカバー体９００で覆われなくてもよく、ここでは主基板１５６に設けられたコネクタ１１１０、および第２副基板１６４に設けられたコネクタ１２２４は、カバー体９００に覆われていないが、これについては後述する。
【０１１０】
図２０および図２１を参照して各コネクタの接続関係を説明する。図２０および図２１は主制御部３００、第１副制御部４００および第２副制御部５００を構成する各制御基板等に設けられたコネクタの全体の接続関係を示すブロック図である。図２１は、第１副制御部４００および第２副制御部５００の部分について、各制御基板等に設けられたコネクタの接続関係を示すブロック図である。パチンコ機１００は、主基板１５６の指令により、第１副基板１６０が制御を行い、第１副基板１６０の指令により演出制御基板１５０８およびモータ制御基板１５１０が制御を行う。また第１副基板１６０の指令により第２副基板１６４が制御を行う。
【０１１１】
＜主基板のコネクタ＞
【０１１２】
一例として、主基板１５６のコネクタ１１０２は、ここでは第１副制御部４００にコマンド信号を送信するための出力インターフェイスであり、第１副基板１６０のコネクタ１２０２と接続する。これにより主制御部３００が生成した処理情報（コマンド信号）が、第１副制御部４００に送信される。主制御部３００が生成した処理情報は例えば、抽選結果やエラー情報（例えば下皿満タン、払出エラー、不正行為によるエラーなど）である。
【０１１３】
コネクタ１１０４は、ここでは電源基板１８２と接続する。これにより、電源基板１８２から主制御部３００へ電源が供給される。またコネクタ１１０４は払出基板１７０と接続する。これにより、主制御部３００から払出制御部６００に例えば払出制御に関するコマンド信号（例えば払出数や外部端子盤（例えばパチンコ機１００とは別体のカードユニット６０８）と通信するための情報）が送信され、払出制御部６００からは、主制御部３００に対して排出系のエラー情報等が送信される。
【０１１４】
コネクタ１１０６は、ここでは第１特図始動口２３０および第２始動口２３２の球検出センサ３２０と接続する。コネクタ１１０６は始動口の数に対応して（実施形態の場合は２つ）設けられる。これにより、第１特図始動口２３０および第２始動口２３２への入球が球検出センサ３２０で検出された場合、そのスイッチ信号が主制御部３００に送信される。
【０１１５】
コネクタ１１０８は、ここでは普図始動口（ゲート）２２８の球検出センサ３２０と接続する。これにより、遊技球が普図始動口（ゲート）２２８を通過したことが球検出センサ３２０で検出された場合、そのスイッチ信号が主制御部３００に送信される。またコネクタ１１０８は、一般入賞口（入賞口）２２６の球検出センサ３２０と接続する。これにより、遊技球が一般入賞口（入賞口）２２６に入球したことが球検出センサ３２０で検出された場合、そのスイッチ信号が主制御部３００に送信される。またコネクタ１１０８は、第２特図始動口２３２（普通電動役物）の羽根部材２３２ａを開閉駆動するソレノイド３３２と駆動回路３３４を介して接続する。これにより、第２特図始動口（普通電動役物）２３２開閉用のソレノイド信号が主制御部３００の駆動回路３３４からソレノイド３３２に送信される。またコネクタ１１０８は、第１可変入賞口２３４や第２可変入賞口２３５（大入賞口）を開閉駆動するソレノイド３３２と駆動回路３３４を介して接続する。これにより、第１可変入賞口２３４や第２可変入賞口２３５（大入賞口）開閉用のソレノイド信号が主制御部３００の駆動回路３３４からソレノイド３３２に送信される。また、第１可変入賞口２３４や第２可変入賞口２３５（大入賞口）からは入球をカウントするカウント信号が主制御部３００に送信される。
【０１１６】
またコネクタ１１０８は、第１特図表示装置２１２および第２特図表示装置２１４、普図表示装置２１０、各種状態表示部３２８（例えば、普図保留ランプ２１６、第１特図保留ランプ２１８、第２特図保留ランプ２２０、高確中ランプ２２２と接続する。これにより各駆動回路３２４、３２６、３３０から、第１特図表示装置２１２および第２特図表示装置２１４、普図表示装置２１０、各種状態表示部３２８の表示制御用の信号が送信される。
【０１１７】
さらにコネクタ１１０８は、不正対策系センサ１５００と接続する。これにより不正対策系センサ１５００が磁気または電波等による不正を検知すると検知信号が主制御部３００に送信される。
【０１１８】
コネクタ１１１０は、パチンコ機１００外部の試験用装置１５０２と接続する。試験用装置１５０２は、主基板１５６を介して、パチンコ機１００の性能評価や各種試験を実行するための装置である。
【０１１９】
ここでの図示は省略したが、電源基板１８２および払出基板１７０は内枠中継基板（不図示）を介してコネクタ１１０４、第１副基板１６０および演出制御基板１５０８に接続される。また普図始動口（ゲート）２２８、第２特図始動口２３２（普通電動役物）、第１可変入賞口２３４や第２可変入賞口２３５（大入賞口）、不正対策系センサ１５００は盤面中継基板（不図示）を介してコネクタ１１０８と接続される。
【０１２０】
＜第１副基板、演出制御基板およびモータ制御基板のコネクタ＞
【０１２１】
第１副基板１６０のコネクタ１２０２は、既述の如く主基板１５６のコネクタ１１０２と接続する。コネクタ１２０４は、第１副基板１６０に搭載された音源ＩＣ４１６とスピーカ１２０（およびアンプ）とを接続する。これにより音源ＩＣ４１６からスピーカ１２０に音声データが送信される。またコネクタ１２０４は、第１副基板１６０に搭載された駆動回路４２０と、前面枠扉１０６に設けられた各種ランプ４１８の点灯／消灯制御を行う照明基板１５０４とを接続する。これにより各種ランプ４１８（払出用ランプ、エラー用ランプを含む）を発光させるためのデータやクロック信号が第１副制御部４００の駆動回路４２０から照明基板１５０４に送信される。さらにコネクタ１２０４は、ボタンユニット１５０６と接続する。ボタンユニット１５０６は、例えばチャンスボタン１３６やチャンスボタン検出センサ４２６、これらの照明、駆動用モータを有する。また不図示のサブボタン、これの検出センサ、照明、駆動用モータを含む。これにより、モータ駆動用の信号や、照明を発光させるためのデータが第１副制御部４００からボタンユニット１５０６に送信され、ボタンユニット１５０６からはボタン操作によるチャンスボタン検出センサ４２６等の検知結果が第１副制御部４００に送信される。
【０１２２】
コネクタ１２０６は、演出制御基板１５０８のコネクタ１２１０と接続する。これにより、演出可動体２２４の駆動用のデータ、演出可動物２２４の照明発光用データ、演出制御基板１５０８がデータを受信できるか否かの確認等の制御データが、第１副基板１６０から演出制御基板１５０８に送信される。つまり、コネクタ１２０６とコネクタ１２１０間の接続が解除されると、盤側の照明基板１５２０のＬＥＤが発光しなくなり、演出可動体２２４が動作しなくなる。演出制御基板１５０８からは、演出可動体２２４の動作終了等を示す演出可動体センサ４２４の検知結果が、検知の有無に関わらず第１副制御基板１６０に搭載されたセンサ回路４２８に送信される。また演出制御基板１５０８がデータの受信が可能である場合にはその情報が第１副制御基板１６０に送信される。
【０１２３】
演出制御基板１５０８のコネクタ１２１２は、モータ制御基板１５１０のコネクタ１２１６と接続する。これにより、演出制御基板１５０８からモータ制御基板１５１０に演出制御データが送信され、モータ制御基板１５１０から演出制御基板１５０８に演出可動体センサ４２４の検知結果が送信される。
【０１２４】
演出制御基板１５０８のコネクタ１２１４は、演出制御基板１５０８に搭載された駆動回路（ここでは不図示）と、遊技盤２００に設けられた各種ランプ４１８の点灯／消灯制御を行う照明基板１５２０とを接続する。これにより、遊技盤２００側の照明を発光させるためのデータまたはクロック信号が演出制御基板１５０８の駆動回路から照明基板１５２０に送信される。また、演出制御基板１５０８のコネクタ１２２０（ここでは不図示）は電源基板１８２と接続し、電源基板１８２から電源の供給を受ける。
【０１２５】
モータ制御基板１５１０のコネクタ１２１８は、演出可動体２２４および演出可動体センサ４２４と接続する。これによりモータを駆動するための信号が、モータ制御基板１５１０から演出可動体２２４に送信され、演出可動体センサ４２４の検知結果がモータ制御基板１５１０に送信される。つまり、コネクタ１２１２とコネクタ１２１６間の接続が解除されると、演出可動体２２４の動作が行われなくなる。
【０１２６】
＜第２副基板および液晶接続基板のコネクタ＞
【０１２７】
第２副基板１６４はここでは液晶制御基板であり、コネクタ１２２２は第１副基板１６０のコネクタ１２０８と接続する。これにより、第１副基板１６０の制御データが第２副基板１６４に送信される。また電源が第２副基板１６４に供給される。第２副基板１６４は液晶ＲＯＭ１５１４と接続し、画像データの要求が第２副基板１６４から液晶ＲＯＭ１５１４に送信され、液晶ＲＯＭ１５１４から画像データが第２副基板１６４に送信される。また第２副基板１６４は液晶接続基板１５１２と接続し、画像データが送信される。また電源が液晶接続基板１５１２に供給される。
【０１２８】
図２１（Ｂ）を参照して、液晶表示基板１５１２は、コネクタ１２２４、１２２６を有する。コネクタ１２２４は装飾図柄表示装置２０８のコネクタ１２２８と接続する。これにより、液晶表示基板１５１２から装飾図柄表示装置２０８に画像データが送信される。またコネクタ１２２６は装飾図柄表示装置２０８のコネクタ１２３０と接続する。これにより、液晶表示基板１５１２から装飾図柄表示装置２０８に電源が供給される。
【０１２９】
再び図１９を参照して、本実施形態のカバー体９００は、主基板ケース１５８の開口部１４０８から露出する第１コネクタ１１００（コネクタ１１０４、１１０２、１１０６、１１０８）と、第１副基板ケース１６２の開口部１４１０Ａから露出する第２コネクタ１２００（コネクタ１２０２、１２０４、１２０８、１２１４、１４１８、１２２０）と、第２副基板ケース１６６の開口部１４１２Ａから露出する第２コネクタ１２００（コネクタ１２２２、１２２６）を覆う。
【０１３０】
主基板１５６は主基板ケース１５８によって、第１副基板１６０、演出制御基板１５０８、モータ制御基板１５１０は第１副基板ケース１６２によって、また第２副基板１６４、液晶接続基板１５１２は第２副基板ケース１６６によって保護されている。しかしこれらから露出する第１コネクタ１１００および第２コネクタ１２００は、不正行為等により接続が意図せずに解除される恐れがある。
【０１３１】
本実施形態ではこれらのコネクタをカバー体９００で覆い、またカバー体９００を容易には（遊技盤２００を外枠部１０２（本体１０４）から離脱することなく）開放できない構成とすることにより、第１コネクタ１１００および第２コネクタ１２００に対する不正行為、あるいは外力による故障や接続不良による意図しない接続解除を防止できる。
【０１３２】
再び図６を参照して、遊技盤２００と本体１０４とは、フローティングコネクタ１７００により接続されており、前扉１０６を開けると遊技盤２００を取り出すことができる。つまり、遊技盤２００と本体１０４はハーネス接続ではないため、遊技盤２００を本体１０４から取り外す際に、カバー部９００を開放する必要はない。
【０１３３】
これにより、カバー体９００が取り外しにくい構成を維持しつつ、メンテナンス性も向上できる。
【０１３４】
カバー体９００は、第１コネクタ１１００の少なくとも１つ、および第２コネクタ１２００の少なくとも１つを保護すればよい。一例としては、第２コネクタ１２００のうち、接続が解除されても遊技可能なコネクタ（例えば、コネクタ１２０６）は、カバー体９００で保護するとよい。ここで、「遊技可能」とは、遊技の進行に影響を及ぼすことがない状態をいい、例えば、演出を盛り上げるためだけに用いられる各種ランプや可動物が動作不能な状態に陥ったとしても遊技進行は可能である。したがって、これらの各種ランプや可動物に接続されるコネクタは、「接続が解除されても遊技可能なコネクタ」に該当する。
【０１３５】
一方、入賞口（一般入賞口２２６、第１可変入賞口２３４、第２可変入賞口２３５）や始動口（第１特図始動口２３０、第２特図始動口２３２）は動作不能な状態に陥った場合には遊技の進行に大きな影響を及ぼす装置であり、これらの入賞口や始動口に接続されるコネクタは、「接続が解除されても遊技可能なコネクタ」には該当しない。
【０１３６】
接続が解除されても遊技可能なコネクタにおいては、不正行為や故障等によるコネクタの接続異常およびそれによる誤動作が発見しにくい場合がある。したがって、これらをカバー体９００で保護し、不正行為や外力による故障等を防ぐことで、コネクタの接続異常およびそれによる誤動作の発見が遅れるという問題を回避できる。
【０１３７】
一方、第１コネクタ１１００のいずれか、あるいは第１コネクタ１１００に接続する第２コネクタ１２００（例えば、第１副基板１６０のコネクタ１２０２）はカバー体９００で保護しなくてもよい。敢えて主基板１５６に接続するコネクタの接続を解除が可能な状態にすることで、接続が解除された場合には遊技できない状態にさせ、接続異常や誤動作の発見を容易にできる場合がある。
【０１３８】
また例えば、第１副制御部４００および第２副制御部５００を構成する各制御基板及び接続基板のコネクタのうち、少なくとも一つをカバー体９００で覆い、少なくとも一つをカバー体９００で覆わない構成としてもよい。例えば、装飾図柄表示装置（液晶ユニット）２０８に電源を供給する液晶接続基板１５１２のコネクタ１２２６を保護せず、画像データを送信するコネクタ１２２４を保護する。接続が解除されたことが発見しやすいコネクタ（例えばコネクタ１２２６）を敢えて保護しないようにすることで、接続解除を発見しやすくし、メンテナンス性を向上させることができる。
【０１３９】
更に、接続が解除されたことが発見しにくいコネクタ（例えば、液晶接続基板１５１２のコネクタ１２２４（図１９参照））は、カバー体９００とは別体の他のカバー体（部分カバー体９２０）で覆ってもよい。
【０１４０】
図２２は、カバー体９００と、第１副基板ケース１６２および第２副基板ケース１６６を分解して示す分解斜視図であり、図２３は第１副基板ケース１６２および第２副基板ケース１６６を組み立てた状態の上面図である。
【０１４１】
ここでは、第１副基板ケース１６２および第２副基板ケース１６６は、これらに共通の、底面が略矩形の角皿状である基板収納体１６１０に、Ｌ字形の第１副基板ケース１６２の蓋体１４０２と矩形状の第２副基板ケース１６６の蓋体１４１４を組み合わせて構成される箱体となっている。なお、基板収納体１６１０は第１副基板ケース１６２および第２副基板ケース１６６ごとに、それぞれの蓋体１４０２、１４１４に対応した形状で設けられてもよい。
【０１４２】
第２副基板ケース１６６の開口部１４１２Ｂには液晶接続基板１５１２のコネクタ１２２４が露出する。このコネクタ１２２４は、部分カバー体９２０で覆われる。部分カバー体９２０は、例えば蓋体１４１４の側面とこれに垂直な主面の一部を切り取った形状（正面視において略矩形状、側面視において略Ｌ字形状）であり、その側面側端部に爪部９２２と、正面側端部に差し込み部９２４とを有する。差し込み部９２４が蓋体１４１４の差込口９２８に差し込まれ、爪部９２２が液晶接続基板１５１２の爪受け部９２６と嵌合することにより、部分カバー体９２０は液晶接続基板１５１２と第２副基板ケース１６６の蓋体１４１４に開放可能に取り付けられる。
【０１４３】
基板収納体１６１０およびカバー部９００の外縁部には、カバー用かしめピン１６０６を挿入してこれらが分離できないように封印（かしめ）するためのカバー用かしめ部１６０６Ａが、それぞれ設けられている。
【０１４４】
カバー用かしめ部１６０６Ａは、蓋体１４０２、１４１４と基板収納体１６１０を封印後に、基板収納体１６１０およびカバー体９００を組み合わせた場合に、基板収納体１６１０のカバー用かしめ部１６０６Ａの挿入孔、カバー体９００のカバー用かしめ部１６０６Ａの挿入孔が同軸的に配置され、これらの挿入孔が連通するように構成されている。そして、この連通した各々の挿入孔に挿入されたカバー用かしめピン１６０６が、カバー用かしめ部１６０６Ａのそれぞれに取り外し不可能に係止するようになっている。すなわち、カバー用かしめピン１６０６を挿入することにより、カバー用かしめ部１６０６Ａが互いに分離不可能に結合され、第１副基板ケース１６２、第２副基板ケース１６６がカバー体９００により封印される。
【０１４５】
図２３を参照して、部分カバー体９２０は液晶接続基板１５１２および第２副基板ケース１６６に取り付けられ、蓋体１４０２、１４１４と基板収納体１６１０が封印される。コネクタ１２２４は部分カバー体９２０で覆われ、部分カバー体９２０と基板収納体１６１０の間に形成された隙間１４４８からハーネスが導出される。
【０１４６】
再び図２２および図１９を参照して、カバー体９００には、部分カバー体９２０が露出する開口部９０６が設けられている。部分カバー体９２０は、液晶接続基板１５１２に取り付けられ、その一部（爪部９２２が爪受け部９２６と嵌合している部分）がカバー体９００により覆われる。したがって、コネクタ１２２４は、カバー体９００を開放しても露出することはなく、カバー体９００を開放した後に、更に部分カバー体９２０を開放しなければ露出させることができない（コネクタ１２２４の接続解除が可能とならない）。
【０１４７】
一方、コネクタ１２２６はカバー体９００のみで覆われており、カバー体９００を開放すると露出する（コネクタ１２２６の接続解除が可能となる）。
【０１４８】
このように、コネクタ１２２４の接続解除が可能となる条件を、コネクタ１２２６の接続解除が可能となる条件より複雑にすることにより、接続異常の発見が容易になり、メンテナンス性を向上できる場合がある。
【０１４９】
図２１（Ｂ）を参照して、液晶接続基板１５１２のコネクタ１２２４は、装飾図柄表示装置２０８のコネクタ１２２８と接続し、画像データを送信する。この接続が解除されると、装飾図柄表示装置２０８の液晶画面に画像が表示されない状態（電源は入るが画像データがなく黒一色または白一色などの状態）となる。一方、液晶接続基板１５１２のコネクタ１２２６は、装飾図柄表示装置２０８のコネクタ１２３０と接続し、電源を供給する。この接続が解除されると、電源が切断された状態となる。つまり、コネクタ１２２６が接続解除された場合の方が、接続解除（異常）を発見しやすい。このような場合に、接続異常を発見しにくいコネクタ１２２４が露出する条件（部分カバー体９２０の開放条件）をコネクタ１２２６が露出する条件（カバー体９００のみの開放条件）より、複雑にするとよい。
【０１５０】
なお、部分カバー体９２０とカバー体９００による保護は、他のコネクタに対しても適用できる。また部分カバー体９２０の基板への取り付け方法は図示したものに限らず、カバー体９００を開放した後でなければ部分カバー体９２０が開放できない構成であればよい。
【０１５１】
また、カバー体９００で覆われる主基板１５６の第１コネクタ１１００は、例えばコネクタ１１０２またはコネクタ１１０６とするとよい。コネクタ１１０２は主基板１５６に設けられて第１副基板１６０に接続し、抽選結果やエラー情報などを送信するコネクタであり、コネクタ１１０６は始動口への入球によるスイッチ信号を受信するコネクタであるので、これらの不正が行われやすいコネクタに対する不正行為を保護できる場合がある。
【０１５２】
さらに、主基板１５６のコネクタであってもカバー体９００で覆われないものがあってもよい。例えば、コネクタ１１１０は、パチンコ機１００外部の試験用装置１５０２と接続するためのコネクタである。このように接続が容易に接続を解除する必要があるコネクタ１１１０をカバー部９００で覆わない構成とすることにより、メンテナンス性を向上させることができる。
【０１５３】
さらに、カバー体９００は、主基板１５６の第１コネクタ１１００以外の領域を覆ってもよい。例えば、主基板１５６に対する不正を防ぐための対策を行っている箇所（主基板ケース１５８のかしめ部１６０８（図１５参照））を覆うことで、第１コネクタ１１００の保護とともに、主基板ケース１５８が開封されることを困難にし、主基板１５６に対する不正から保護する効果が高まる。また、不正対策を行っている箇所の外力による損傷を防ぎ、メンテナンス性を向上できる場合がある。
【０１５４】
またカバー体９００は第１コネクタ部１１００、第２コネクタ部１２００不正対策箇所（主基板ケース１５８、第１副基板ケース１６２、第２副基板ケース１６６のかしめ部）以外の領域を覆うものであってもよい。各基板へアクセス可能な部位を減らし、不正を防止することができる場合がある。
【０１５５】
以上説明したように、本実施形態に係るパチンコ機１００は、第一の主面（例えば、前面）と第二の主面（例えば、背面）を有し、前記第一の主面側に遊技領域（例えば、遊技領域１２４）が設けられた遊技盤（例えば、遊技盤２００）と、前記遊技盤を取り付け可能な本体（例えば、本体１０４）と、前記本体に設けられた所定の部品（例えば、外枠部１０２）と、前記第二の主面側に設けられ遊技動作を制御する第一の基板（例えば、主基板１５６）と、前記第二の主面側に設けられ前記第一の基板の指令により制御を行う第二の基板（例えば、第１副基板１６０など）と、前記第二の主面側に設けられ前記第一の基板を収納する第一の基板ケース（例えば、主基板ケース１５８）と、前記第二の主面側に設けられ前記第二の基板を収納する第二の基板ケース（例えば、第１副基板ケース１６２など）と、前記第二の主面側に設けられたカバー体（例えば、カバー体９００）と、を備えた遊技台であって、前記カバー体は押さえ部（例えば、押さえ部９０２など）を備え、前記押さえ部が前記所定の部品と前記遊技盤との間に挟まれることにより前記カバー体は開放が制限され、前記所定の部品が前記本体から取り出された場合に、前記カバー体は所定方向（例えば、主基板ケース１５８等を露出させる方向）に開放可能に構成され、前記カバー体は、前記第一の基板に設けられ前記第一の基板ケースから露出する第一のコネクタ（例えば、コネクタ１１０２など）と前記第二の基板に設けられ前記第二の基板ケースから露出する第二のコネクタ（例えばコネクタ１２０２など）と、を少なくとも覆うように構成されている。
【０１５６】
また、本実施形態に係るパチンコ機１００は、遊技領域１２４が設けられた遊技盤２００と、遊技盤２００を取付可能な本体１０４と、本体１０４に設けられた所定の部品（例えば、外枠部１０２など）と、遊技動作を制御する第一の基板（例えば、主基板１５６）と、第一の基板の指令により制御を行う第二の基板（例えば、第１副基板１６０など）と、遊技盤２００に設けられ、第一の基板を収納する第一の基板ケース（例えば、主基板ケース１５８）と、遊技盤２００に設けられ、第二の基板を収納する第二の基板ケース（例えば、第１副基板ケース１６０など）と、遊技盤２００の遊技領域１２４が備えられた面の裏面の所定の部位を少なくとも覆う裏カバー（カバー体９００）と、を備えた遊技台であって、裏カバー（カバー体９００）は、遊技盤２００が本体１０４に取り付けられている場合に、裏カバー（カバー体９００）と所定の部品（例えば、外枠部１０２）とが接触することにより、裏カバー（カバー体９００）の開放を制限する押さえ部９０２を備え、遊技盤２００が本体１０４から取り出された場合に、裏カバー（カバー体９００）は所定方向に開放可能に構成され、前記所定の部位は、少なくとも第一の基板（例えば、主基板１５６）に設けられ、第一の基板ケース（例えば、主基板ケース１５８）により覆われていない第一のコネクタ（例えば、コネクタ１１０２）であり、裏カバー（カバー体９００）は、第二の基板（例えば、第１副基板１６０など）に設けられた第二のコネクタ（例えば、コネクタ１２０２）を少なくとも覆うよう構成されている。
【０１５７】
また、第二のコネクタ（例えば、コネクタ１２０６）の接続が解除された場合でも、遊技者により遊技可能としてもよい。
【０１５８】
また、第二のコネクタ（例えば、コネクタ１２２４）は、第二の基板ケース（例えば、第２副基板ケース１６６）に設けられた所定のカバー体（部分カバー体９２０）によって覆われる構成としてもよい。
【０１５９】
また、第一のコネクタ（例えば、コネクタ１１０２）は、第一の接続解除条件を満たすことで接続が解除可能であり、第二のコネクタ（例えば、コネクタ１２２４）は、少なくとも前記第一の解除条件および第二の解除条件を満たすことで接続が解除可能であり、前記第一の解除条件は、裏カバー（カバー体９００）の開放であり、前記第二の解除条件は、所定のカバー体（部分カバー体９２０）の開放としてもよい。
【０１６０】
また、遊技盤２００は、始動入賞領域（例えば、第１特図始動口２３０など）への遊技球の入賞を検出する始動入賞検出手段（例えば、球検出センサ３２０）を備え、第一のコネクタは、第二の基板（例えば、第１副基板１６０）へ接続可能な第三のコネクタ（例えば、コネクタ１１０２）と、前記始動入賞検出手段へ接続可能な第四のコネクタ（例えば、コネクタ１１０６）とを少なくとも含むものであってもよい。
【０１６１】
このように、本実施形態では遊技盤２００を本体１０４から取り出した場合に、カバー体９００が開放可能に構成され、カバー体９００は、主基板１５６のコネクタ１１００と、主基板１５６のコネクタ１１００とは異なる所定のコネクタ（例えば第１副基板１６０のコネクタ１２００）を覆うものである。
【０１６２】
＜＜第２実施形態＞＞
【０１６３】
図２４から図２６を参照して、第２実施形態について説明する。なお、第１実施形態と同一構成要素は同一符号で示し、その説明は省略する。
【０１６４】
図２４は、遊技盤（不図示）が取り付けられた本体１０４を前面枠扉１０６と共に開いた状態を示すパチンコ機１０１の外観斜視図であり、図２５は第２実施形態のパチンコ機１０１を分解して示す分解斜視図であり、図２６は、第２実施形態のパチンコ機１０１を示す図であり、（Ａ）パチンコ機１０１の略示側断面図であり、（Ｂ）パチンコ機１０１の背面側の略示正面図であり、（Ｃ）パチンコ機１０１の背面側の外観斜視図である。
【０１６５】
図２４を参照して、パチンコ機１０１は、前面枠扉１０６、遊技盤(不図示)、球タンク１５０、タンクレール１５４および払出装置１５２が本体１０４に取り付けられ、その本体１０４がヒンジ部１１２を介して外枠１０２Ｆに対して開閉自在に取り付けられる。
【０１６６】
図２５を参照して、本体１０４の背面側の開口部（例えば上辺部分）は、本体１０４の前面側の開口部より内側（内周側）に位置する。つまり本体１０４の前面側の開口部が背面側の開口部より大きく、カバー体９００が取り付けられた遊技盤は、本体１０４の前面側から着脱が可能となっている。また前面枠扉１０６も本体１０４の前面側に取り付けられる。本体１０４の背面側には球タンク１５０、タンクレール１５４および払い出し装置１５２が取り付けられる。また外枠１０２Ｆは本体１０４の背面側に位置するように、ヒンジ部１１２を介して取り付けられる。
【０１６７】
この構成により、図２６の如く、カバー体９００の例えば上側端部の押さえ部９０２は遊技盤２００と本体１０４に取り付けられた所定の部品（例えば、球タンク１５０）に挟まれ、押さえ部９０２が例えば球タンク１５０の前面側の側壁に接する状態となる。なお、所定の部品がタンクレール１５４および払出装置１５２であってもよく、その場合は押さえ部９０２はタンクレール１５４および払出装置１５２と遊技盤２００との間に挟まれる。また、これらのうち複数の部品（所定の部品）と遊技盤２００との間に挟まれる場合もある（以下、第２実施形態において同様。）。
【０１６８】
つまり、第２実施形態では、本体１０４に取り付けられた部品（例えば、球タンク１５０等）と遊技盤２００との間にカバー体９００の押さえ部９０２が挟まれることによりカバー体９００の開放が制限される。そして球タンク１５０を本体１０４から取り外す（球タンク１５０と遊技盤２００を離脱させる）ことにより、遊技盤２００を本体１０４に取り付けた状態でカバー体９００は図２５の矢印方向に移動（開放）可能となる。
【０１６９】
この構成によれば、第１実施形態に比べてカバー体９００の開放が容易であるので、メンテナンス性を向上させることができる場合がある。前面枠扉１０６を含む本体の開放におって行われる可能性のある不正を防止することができる場合がある。
【０１７０】
尚、球タンク１５０を取り外し、更に遊技盤２００を本体１０４から取り出した後にカバー体９００の開放が可能となる構成としてもよい。
【０１７１】
更に、所定の部品は、少なくともタンクレール１５４と払出装置１５２を備え、遊技盤２００を収納可能なケースの場合もある。この場合、タンクレール１５４と払出装置１５２を取り外しても、カバー体９００を取り外すことはできない。
【０１７２】
＜＜第３実施形態＞＞
【０１７３】
図２７を参照して、第３の実施形態について説明する。図２７は、第３実施形態に係るパチンコ機１００の背面側の正面略示図である。第１実施形態と同一構成要素は同一符号で示し、その説明は省略する。
【０１７４】
カバー体９００は、第一の基板（例えば主基板１５６）と第二の基板（例えば第１副基板１６０など）の配置領域の全体を覆うものであってもよい。また、本体１０４に設けられてカバー体９００を押さえる部品は、例えば、払出装置１５２のように、本体１０４の側辺部のみ、あるいは底辺部のみ等に設けられてもよい。
【０１７５】
＜＜第４実施形態＞＞
【０１７６】
図２８を参照して、第４の実施形態について説明する。図２８は、第４実施形態に係るパチンコ機１００の背面側の正面略示図である。第１実施形態と同一構成要素は同一符号で示し、その説明は省略する。
【０１７７】
カバー体９００は、例えば主基板１５６の第１コネクタ１１００と第１副基板１６０の第２コネクタ１２００を少なくとも覆えばよい。また第１コネクタ１１００および第２コネクタ１２００が複数設けられている場合には、カバー体９００はそれぞれの少なくとも１つを覆えばよく、カバー体９００で覆われないコネクタ１１００Ａ、１２００Ａが存在してもよい。つまり主基板１５６の第１コネクタ１１００のうち一部のコネクタ（ここでは１１００Ａ）はカバー体９００で覆われないものがあってもよく、また１つの基板（例えば第１副基板１６０）に複数のコネクタ１２００、１２００Ａが存在する場合、一方のコネクタ１２００のみカバー体９００で覆う構成としてもよい。また、カバー体９００の押さえ部９０２はこれを押さえる部品（例えば払出装置１５２）の大きさに比して小さいものでもよく、あるいは大きいものでもよい。
【０１７８】
＜＜第５実施形態＞＞
【０１７９】
図２９を参照して、第５の実施形態について説明する。図２９は、第５実施形態に係るパチンコ機１００の背面側の正面略示図である。第１実施形態と同一構成要素は同一符号で示し、その説明は省略する。
【０１８０】
例えば１つの基板ケース（例えば第１副基板ケース１６２）に収納される第二の基板は複数（例えば第１副基板１６０と演出制御基板１５０８など）存在してもよく、その場合、カバー体９００は、すべての基板のコネクタ１１００、１２００Ａ、１２００Ｂを覆ってもよいし、一方の基板ケース（例えば主基板ケース１５８）の第一の基板（例えば、主基板１５６）のコネクタ１１００と、他方の基板ケース（例えば第１副基板ケース１６２）の一方の基板（例えば、演出制御基板１５０８）のコネクタ１２００Ｂのみを覆う構成としてもよい。
【０１８１】
＜＜第６実施形態＞＞
【０１８２】
図３０を参照して、第６の実施形態について説明する。図３０は、第６実施形態に係るパチンコ機１００の背面側の正面略示図である。第１実施形態と同一構成要素は同一符号で示し、その説明は省略する。
【０１８３】
本体に設けられてカバー部を押さえる部品は複数（例えば、第１の所定の部品（例えば球タンク１５０）と第２の所定の部品（例えば払出装置１５２など））存在してもよい。その場合、第１の所定の部品と第２の所定の部品の設けられる位置は、カバー体９００の周辺部の複数個所（例えば上端部と右端部など）に配置される構成としてもよい。その場合、部品の位置に対応して、複数の押さえ部９０２を配置するとよい。
【０１８４】
以上説明したように、本実施形態に係るパチンコ機１００は、所定の面（例えば、背面）を有する第一の部品（例えば、遊技盤２００）と、前記第一の部品を取り付け可能な本体（例えば、本体１０４）と、前記本体に設けられた第二の部品（例えば、外枠部１０２）と、前記所定の面側に設けられ遊技動作を少なくとも制御可能な第一の基板（例えば、主基板１５６）と、前記所定の面側に設けられ前記第一の基板の指令により少なくとも制御可能な第二の基板（例えば、第１副基板１６０など）と、前記所定の面側に設けられ前記第一の基板を少なくとも収納可能な第一の基板ケース（例えば、主基板ケース１５８）と、前記所定の面側に設けられ前記第二の基板を少なくとも収納可能な第二の基板ケース（例えば、第１副基板ケース１６２など）と、前記所定の面側に設けられ押さえ部（例えば、押さえ部９０２など）を有するカバー体（例えば、カバー体９００）と、を備えた遊技台であって、前記カバー体は、第一のコネクタ（例えば、コネクタ１１０２など）および第二のコネクタ（例えば、コネクタ１２０２など）の両方を少なくとも覆うように構成されているものであり、前記第一のコネクタは、前記第一の基板に設けられ前記第一の基板ケースから露出するものであり、前記第二のコネクタは、前記第二の基板に設けられ前記第二の基板ケースから露出するものであり、前記カバー体は、前記第一の部品と前記第二の部品の間に前記押さえ部が挟まれることにより開放が制限されるものであり、前記カバー体は、前記第二の部品が前記本体から取り出された場合に、開放可能となるものである、ことを特徴とする、遊技台である。
【０１８５】
これにより、第一の基板ケースおよび第二の基板ケースから露出する第一のコネクタおよび第二のコネクタに対する不正行為（コネクタに不正な細工を施す行為や、不正な制御を行うための基板をコネクタに接続するような行為）や、外力による故障など、意図しない接続異常を防ぐことができる場合がある。
【０１８６】
また、前記第二のコネクタ（例えば、コネクタ１２０６など）は、接続が解除された場合でも遊技者による遊技が可能となるものであってもよい。
【０１８７】
接続が解除された場合であっても遊技者による遊技が続行できる場合、コネクタの接続解除（接続異常）が発見しにくい場合があるが、このようなコネクタをカバー体で覆うことで、接続異常の発見の遅れを回避できる場合がある。
【０１８８】
また、前記第二の基板（例えば、液晶接続基板１５１２など）に前記カバー体（例えば、カバー体９００）から露出する他のコネクタ（例えば、コネクタ１２２４）が設けられ、前記他のコネクタは前記第二の基板ケース（例えば、第２副基板ケース１６６）に設けられた他のカバー体（例えば、部分カバー体９２０）によって覆う構成としてもよい。
【０１８９】
これにより、他のコネクタを露出させるための作業が複雑となり、他のコネクタに対する不良行為や外力による故障などの意図しない接続不良を防止できる場合がある。
【０１９０】
また、前記第一のコネクタ（例えば、コネクタ１１０２など）は、第一の接続解除条件（例えばカバー体９００の開放）を満たすことにより接続が解除可能であり、前記他のコネクタ（例えば、コネクタ１２２４）は、少なくとも前記第一の接続解除条件および第二の接続解除条件（例えば、他のカバー体の開放）を満たすことで接続が解除可能となる構成としてもよい。
【０１９１】
これにより、他のコネクタを露出させるためには、カバー体の開放と、他のカバー体の開放の２つの作業が必要となり、カバー体の開放のみに比べて作業が複雑となる。第一の基板に接続されるコネクタをカバー体の開放のみで露出可能とする（接続解除が可能な（比較的接続解除が容易な）状態とする）ことにより、接続が解除された場合は、遊技の続行を不可能とし、接続異常の発見を容易にすることができる場合がある。
【０１９２】
また、前記第一の部品（例えば、遊技盤２００）は、遊技領域（例えば、遊技領域１２４）を前記所定の面（例えば、背面）の裏面（例えば、前面）に設けた遊技盤（例えば、遊技盤２００）であり、前記遊技盤は、始動入賞領域（例えば、第１特図始動口２３０など）への遊技球の入賞を検出する始動入賞検出手段（例えば、球検出センサ３２０）を備え、前記第一のコネクタ（例えば、コネクタ１１０２など）は、前記第二の基板（例えば、第１副基板１６０）に接続可能な第三のコネクタ（例えば、コネクタ１１０２）と、前記始動入賞検出手段へ接続可能な第四のコネクタ（例えば、コネクタ１１０６）と、を少なくとも含むものであってもよい。
【０１９３】
これにより、第二の基板に制御信号を送る第一の基板の第一のコネクタに対する不正行為や接続不良等を防ぐことができる場合がある。また不正行為の対象となりやすい入賞検出手段への接続が可能な第一のコネクタを保護することができる場合がある。
また、本発明の遊技台（例えば、ぱちんこ機１００，１０１）は、枠部（例えば、外枠部１０２）を有する本体（例えば、本体１０４）と、遊技盤（例えば、遊技盤２００）と、カバー体（例えば、カバー体９００）と、第一の制御手段（例えば、主制御部３００）と、前記第一の制御手段からの指令に応じた制御を少なくとも実行可能な第二の制御手段（例えば、第１副制御部４００）と、前記第一の制御手段が設けられた第一の制御基板（例えば、主基板１５６）と、前記第二の制御手段が設けられた第二の制御基板（例えば、第１副基板１６０）と、前記第一の制御基板を収容する第一の基板ケース（例えば、主基板ケース１５８）と、前記第二の制御基板を収容する第二の基板ケース（例えば、第１副基板ケース１６２）と、前記第一の制御基板に設けられた第一のコネクタ（例えば、コネクタ１１０２）と、前記第二の制御基板に設けられた第二のコネクタ（例えば、コネクタ１２０２）と、を備えた遊技台であって、前記遊技盤は、前側に遊技領域が設けられたものであり、前記遊技盤は、裏側に前記第一の基板ケースが設けられたものであり、前記遊技盤は、前記裏側に前記第二の基板ケースが設けられたものであり、前記遊技盤は、前記枠部に取り付けられたものであり、前記第一のコネクタは前記第一の基板ケースの一部から露出し、前記第二のコネクタは前記第二の基板ケースの一部から露出し、前記第一のコネクタと前記第二のコネクタとは接続手段により接続され、前記カバー体は、取り付け部（例えば、押さえ部９０２）を有し、前記カバー体は、取り付け部が第一の状態又は第二の状態で前記枠部に取り付けられ、前記第一の状態は、前記取り付け部が、前記枠部と前記遊技盤の前記裏側との間に挟まれた状態（例えば、図８，図９に示す状態）であり、前記第二の状態は、前記取り付け部が、前記枠部と該枠部の裏側に取り付けられた部材（例えば、球タンク１５０）との間に挟まれた状態（例えば、図２４、図２６に示す状態）であり、前記カバー体が前記枠部に取り付けられた状態（以下、「カバー体取付状態」という。）において、前記第一のコネクタが前記カバー体によって少なくともカバーされるように構成されており、前記カバー体取付状態において、前記第二のコネクタが前記カバー体によって少なくともカバーされるように構成されている、ことを特徴とする遊技台である。
また、前記第一の状態では、前記遊技盤を前記本体から取り外した状態でなければ、前記カバー体を前記枠部から取り外すことができない、ものとしてもよい。
また、前記第二の状態では、前記部材を前記枠部から取り外すことにより前記遊技盤を前記本体から取り外すことなく、前記カバー体を前記枠部から取り外すことができる、ものとしてもよい。
また、第三の基板と、前記第三の基板(例えば、液晶接続基板１５１２)に設けられた第三のコネクタ（例えば、コネクタ１２２４）を有し、前記第三のコネクタは、前記カバー体から露出するコネクタであり、前記第三のコネクタは、前記カバー体とは別のカバー体によって覆われている、ものとしてもよい。
また、前記遊技台は、ぱちんこ機である、ものとしてもよい。
また、前記第一のコネクタは、信号線の一端に設けられたコネクタであり、前記信号線は、前記遊技領域に設けられた始動入賞領域への遊技球の入賞を検出する始動入賞検出手段からの信号を受信可能な信号線である、ものとしてもよい。
また、前記カバー体は、透過性を有するものであり、前記第一の基板ケースは、透過性を有するものであり、前記第二の基板ケースは、透過性を有するものであり、前記第一の制御基板は、前記カバー体取付状態において、前記カバー体を介して、前記裏側から視認可能に構成されており、前記第二の制御基板は、前記カバー体取付状態において、前記カバー体を介して、前記裏側から視認可能に構成されている、ものとしてもよい。
【０１９４】
なお、パチンコ機は、所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄(識別情報)を変動表示する可変表示装置を備え、入賞口に遊技球が入って入賞することを契機として、可変表示装置が図柄を変動させた後に停止表示させて、遊技状態の推移を告知するようなパチンコ機であってもよい。
【０１９５】
また、本発明に係る遊技台は、封入式遊技機に適用することもできる。封入式遊技機は例えば球を封入し、封入した球をパチンコ機内で循環させて使用する封入式パチンコ機であり、この封入式パチンコ機は、封入した球を発射球として使用し、球の払出はクレジットによって実行されるものであってもよい。
【０１９６】
また、主制御部、第１副制御部、および第２副制御部をワンチップで構成してもよいし、主制御部と第１副制御部で双方向の通信が可能に構成してもよい。また、主制御部と第１副制御部で双方向の通信を可能とする一方で、第１副制御部から第２副制御部への通信は一方向の通信としてもよい。
【０１９７】
また、本発明に係る遊技台は、パチンコ機に限定されるものではなく、例えば、複数種類の図柄が施された複数のリールと、リールの回転を指示するためのスタートレバーと、各々のリールに対応して設けられ、リールの回転を個別に停止させるための停止ボタンと、複数種類の役の内部当選の当否を抽選により判定する抽選手段と、抽選手段の抽選結果に基づいてリールの回転の停止に関する停止制御を行うリール停止制御手段と、抽選手段の抽選結果に基づいて停止されたリールによって表示される図柄組合せが、内部当選した役に対応して予め定めた図柄組合せであるか否かの判定をする判定手段と、図柄の停止態様が所定の入賞態様である場合、所定の入賞態様に対応する遊技媒体を払出す遊技媒体払出処理を行う払出制御手段と、を備えたスロットマシンなどにも好適である。
【０１９８】
また、メダル（コイン）を遊技媒体としたスロットマシンに限らず、遊技球（例えば、パチンコ玉）を遊技媒体としたスロットマシンや、アレンジボール遊技機や、じゃん球遊技機、スマートボール等に適用可能である。
【０１９９】
更に、スロットマシンは、メダルを使用せずに電子データのやり取りのみ行うスロットマシンであってもよく、この場合、遊技媒体は、メダルに相当する電子化したデータを含むものであり、遊技媒体の投入は、所定の外部装置（電子貯留装置）から、電子化したデータを入力することを含むものであり、遊技媒体の払出は、所定の外部装置（電子貯留装置）へ、電子化したデータを出力することを含むものである。
【０２００】
本発明の実施の形態に記載された作用および効果は、本発明から生じる最も好適な作用および効果を列挙したに過ぎず、本発明による作用および効果は、本発明の実施の形態に記載されたものに限定されるものではない。また、１つの実施形態において記載されている複数の構成要件のみが１つの発明に含められるものであるわけではなく、１つの実施形態において記載されている構成要件と別の実施形態に記載されている構成要件とを組み合わせて１つの発明に含めるようにしてもよい。また、実施形態に記載した複数の構成のうち、１つの構成に記載している内容を、他の構成に適用することでより遊技の幅を広げられる場合がある。
【産業上の利用可能性】
【０２０１】
本発明に係る遊技台は、回胴遊技機（スロットマシン）や弾球遊技球（パチンコ機）などに代表される遊技台に適用することができる。
【符号の説明】
【０２０２】
１００  パチンコ機
１０２  外枠部
１０４  本体
１５０  球タンク
１５６  主基板
１５８  主基板ケース
１６０  第１副基板
１６２  第１副基板ケース
１６４  第２副基板
１６６  第２副基板ケース
３００  主制御部
４００  第１副制御部
５００  第２副制御部
９００  カバー体
９０２  押さえ部
【図１】
0005754011.tif 000002
【図２】
0005754011.tif 000003
【図３】
0005754011.tif 000004
【図４】
0005754011.tif 000005
【図５】
0005754011.tif 000006
【図６】
0005754011.tif 000007
【図７】
0005754011.tif 000008
【図８】
0005754011.tif 000009
【図９】
0005754011.tif 000010
【図１０】
0005754011.tif 000011
【図１１】
0005754011.tif 000012
【図１２】
0005754011.tif 000013
【図１３】
0005754011.tif 000014
【図１４】
0005754011.tif 000015
【図１５】
0005754011.tif 000016
【図１６】
0005754011.tif 000017
【図１７】
0005754011.tif 000018
【図１８】
0005754011.tif 000019
【図１９】
0005754011.tif 000020
【図２０】
0005754011.tif 000021
【図２１】
0005754011.tif 000022
【図２２】
0005754011.tif 000023
【図２３】
0005754011.tif 000024
【図２４】
0005754011.tif 000025
【図２５】
0005754011.tif 000026
【図２６】
0005754011.tif 000027
【図２７】
0005754011.tif 000028
【図２８】
0005754011.tif 000029
【図２９】
0005754011.tif 000030
【図３０】
0005754011.tif 000031